(57)【特許請求の範囲】
【請求項１】
引出の一部に突子を設ける一方、筐体の内面における前記突子の移動軌跡上にカムを設け、このカムは一部に設けた開口部が引出の動作方向に対して予め関連づけられた位置関係にあるときには突子を受容して引出の出し入れ動作に伴い姿勢変更可能であるが、開口部が引出の動作方向に対して予め関連づけられた位置関係を外れたときには突子を受容せずにカム本体が突子と干渉してカムには姿勢変更動作が引き起こされないように構成したものであって、
前記突子を、引出の押し込み方向への動作中にカム本体と干渉した際にはある力以上で弾性によりカムを通過することが可能な干渉回避位置まで変位又は変形可能とし、引出の引き出し方向への動作中にカム本体と干渉した際には干渉状態を維持するように構成したことを特徴とする引出のロック装置。
【請求項２】
引出を筐体から分離させた状態において、カムは姿勢変更自在であるように、または引出の押し込み方向への動作に対して突子がカム本体と干渉する姿勢が基準姿勢となるように当該カムが構成されたものである請求項１記載の引出のロック装置。
【請求項３】
カムは軸心回りに水平回転可能であり、その開口部は、引出の押込み位置で後方斜め内側に開口し、引き出し位置で前方斜め内側に開口するように姿勢変更可能とされている請求項１又は２記載の引出のロック装置。
【請求項４】
突子は、基端を引出に片持ち的に支持された支持腕の先端に形成されており、基端と先端の間に突子を介して引っ張り力が働いた際には突子がカムとの干渉を回避する位置まで支持腕が変形可能であり、基端と先端の間に突子を介して圧縮力が働いた際には前記干渉回避位置までの変形が引き起こされないように構成している請求項１〜３のいずれかに記載の引出のロック装置。
【請求項５】
基端から先端に向かう支持腕の一部に、突子を前方斜め外側に持ち出すための傾斜部を設けている請求項４記載の引出のロック装置。
【請求項６】
支持腕及び突子が一対の側枠とともに樹脂部材として一体成形されたものであって、側枠は引出の側板に着脱可能に装着され、支持腕は基端が一対の側枠間を連結する部位に支持されて先端を側枠に沿って前方に延出させ、その支持腕は成形のみによって変形可能な状態にある請求項４又は５記載の引出のロック装置。
【請求項７】
引出の側板に、側枠を差し込む一対のレールと、差込方向の終端位置を規制する規制部と、肉厚方向の貫通孔とを設け、樹脂部材には更に前記支持腕とは異なる位置において側枠間を連結する部位に基端を支持させた弾性凸部を設け、前記差込終端位置で弾性凸部を貫通孔に落とし込んだ状態で樹脂部材を引出の側板に取り付けるようにしている請求項６記載の引出のロック装置。
【請求項８】
複数の引出を有する収納装置に適用され、全ての引出が押し込まれた状態から、一つの引出に対応するカムが引出の引き出し動作に伴って姿勢変更している間は、他の引出に対応するカムの姿勢変更が禁止されるように構成して、引出のセーフティロック状態を実現している請求項１〜７のいずれかに記載の引出のロック装置。
【発明の詳細な説明】
【技術分野】
【０００１】
本発明は、引出の出し入れ動作を制限する必要があるものに対して、そのロック状態を組立時の作業性や使用時の耐久性を損なわずに実現可能とした引出のロック装置に関するものである。
【背景技術】
【０００２】
従来より、筐体に収容された引出を複数同時に引き出した際に、重心が前方に移動し、これにより筐体が前方に転倒することがある。このため、引出の機能の一つとして、１個の引出が引き出された後に、２つ目の引出が引き出せないようにするセーフティロック機構が採用される場合がある。
【０００３】
例えば、特許文献１に示されるものは、各引出に突子を設ける一方、キャビネット本体に、上下移動可能な支柱と、各杆部材に対応して支柱に設けられた傾斜溝付きのカムとを設け、引出が引き出される際に杆部材がカムの傾斜溝に係合して支柱を持ち上げ、この状態で２つ目の引出を引き出そうとしても、変位したカムに杆部材がブロックされて当該引出を引き出せないようにして、セーフティロック状態が実現されるようにしている。
【特許文献１】特開２００１−３４２７７０号公報
【発明の開示】
【発明が解決しようとする課題】
【０００４】
このように、この種のカムの機能は、一部に設けた上記溝のごとき開口部が引出の動作方向に対して予め関連づけられた位置関係にあるときに突子を受容して引出の出し入れ動作に伴い姿勢変更（カムとともに支柱が上下動）が可能であるが、開口部が引出の動作方向に対して予め関連づけられた位置関係を外れたとき（カムが上動状態にあるとき）には突子を受容せずにカム本体が突子と干渉する関係となるものである。
【０００５】
ところで、上記カムの場合、溝は後方に開口すると同時に前方にも開口しており、初期組立時などに引出を押し込む際には、その溝を通して引出の突子を通過させることができるようにも思えるが、カムの機能を的確ならしめるためにカムの開口部の内奥を閉じた形状にして引出の出し入れ動作とともに突子を開口部に係り合わせ、カムを振り子のように作動させるタイプのものでは、カムの開口部が後方を向いた状態にあるときに前方から引出を押し込もうとすると、突子がカムに激しく干渉し、これらの損傷や破損を招きかねない。
【０００６】
このため、初期組立時やメンテナンス時など、空の筐体に対して引出を組み付けていく際には、対応するカムの開口部が前方を向いているか否かを都度確認しながら引出の充填作業を進めなければならず、作業性が悪い上に、誤って回転カム板の開口部が後方を向いた姿勢で引出を押し込む事態には対応できないという問題がある。
【０００７】
本発明は、このような課題に着目してなされたものであって、引出にロックが必要なこの種の収納装置等に適用して上記のようなカムによりロック装置を構成した場合に、組立時に引出を無造作に押し込んでも衝撃による損傷や破損を招かず、高い作業性も得られるようにした、新たな構造からなる引出のロック装置を提供することを目的としている。
【課題を解決するための手段】
【０００８】
本発明は、かかる目的を達成するために、次のような手段を講じたものである。
すなわち、本発明に係る引出のロック装置は、引出の一部に突子を設ける一方、筐体の内面における前記突子の移動軌跡上にカムを設け、このカムは一部に設けた開口部が引出の動作方向に対して予め関連づけられた位置関係にあるときには突子を受容して引出の出し入れ動作に伴い姿勢変更可能であるが、開口部が引出の動作方向に対して予め関連づけられた位置関係を外れたときには突子を受容せずにカム本体が突子と干渉してカムには姿勢変更動作が引き起こされないように構成したものである。そして、前記突子を、引出の押し込み方向への動作中にカム本体と干渉した際にはある力以上で弾性によりカムを通過することが可能な干渉回避位置まで変位又は変形可能とし、引出の引き出し方向への動作中にカム本体と干渉した際には干渉状態を維持するように構成したことを特徴とする。
【０００９】
このようにすれば、引出を引き出そうとする際に、対応するカムのカム本体が突子に干渉する位置関係にあれば引出の引き出し動作は確実に禁止されるが、引出を押し込もうとする際に、対応するカムのカム本体が突子に干渉する位置関係にあっても、突子が弾性により干渉を回避しつつカムを通過しながら引出が押し込まれることになる。このため、引出の適切なロック機能と、カムの姿勢によらずに空の筐体に対して引出を押し込んで組み付け可能とすることによる衝撃回避及び良好な作業性とを有効に両立させることができる。
【００１０】
本発明の好適な適用対象としては、引出を筐体から分離させた状態において、カムは姿勢変更自在であるように、または引出の押し込み方向への動作に対して突子がカム本体と干渉する姿勢が基準姿勢となるように当該カムが構成されているものが挙げられる。
【００１１】
或いは、カムが軸心回りに水平回転可能であり、その開口部が、引出の押込み位置で後方斜め内側に開口し、引き出し位置で前方斜め内側に開口するように姿勢変更可能とされている対象に適用しても極めて有用である。
【００１２】
引出の作動方向に応じて突子に異なる作用を営ませるためには、基端を引出に片持ち的に支持された支持腕の先端に形成され、基端と先端の間に突子を介して引っ張り力が働いた際には突子がカムとの干渉を回避する位置まで支持腕が変形可能であり、基端と先端の間に突子を介して圧縮力が働いた際には前記干渉回避位置までの変形が引き起こされないように構成していることが望ましい。
【００１３】
このような作用を簡単かつ有効に実現するためには、基端から先端に向かう支持腕の一部に、突子を前方斜め外側に持ち出すための傾斜部を設けていることが好適である。
【００１４】
板金等により構成される引出の側板に対し、突子を簡単に形成、取り付けして所期の作用を営ませるためには、支持腕及び突子が一対の側枠とともに樹脂部材として一体成形されたものであって、側枠は引出の側板に着脱可能に装着され、支持腕は基端が一対の側枠間を連結する部位に支持されて先端を側枠に沿って前方に延出させ、その支持腕は成形のみによって変形可能な状態となることが望ましい。
【００１５】
特に、簡素に成形しても装着状態において的確に作用し、組立分解、メンテナンス、分別廃棄の便も有効に向上させるためには、引出の側板に、側枠を差し込む一対のレールと、差込方向の終端位置を規制する規制部と、肉厚方向の貫通孔とを設ける一方、樹脂部材には更に前記支持腕とは異なる位置において側枠間を連結する部位に基端を支持させた弾性凸部を設け、前記差込終端位置で弾性凸部を貫通孔に落とし込んだ状態で樹脂部材を引出の側板に取り付けるようにしているものが好都合である。
【００１６】
本発明は以上のような構成であるから、複数の引出を有する収納装置にこのロック装置を適用して、全ての引出が押し込まれた状態から、一つの引出に対応するカムが引出の引き出し動作に伴って姿勢変更している間は、他の引出に対応するカムの姿勢変更が禁止されるように構成しているものが効果的である。
【発明の効果】
【００１７】
本発明に係る引出のロック機構は、以上説明した構成であるから、セーフティロック機構等を有する収納装置に適用した場合に、組立時にカムの姿勢が不適切な状態で引出を押し込んでも衝撃による損傷や破損を防止することができ、これにより収納装置の信頼性や耐久性を有効に向上させるとともに、カムの姿勢を逐一変更せずに無造作に引出を押し込むことができるため、組立やメンテナンス時の作業性を格段に向上させることのできる新規有用な引出のロック装置を提供することが可能となる。
【発明を実施するための最良の形態】
【００１８】
以下、本発明の一実施形態を、図面を参照して説明する。
【００１９】
図１に示す収納装置は、筐体１に複数段の引出２を、図示しないレール機構を介して出し入れ可能に取り付けたもので、図２に示すように筐体１の内側面と引出２の外側面との間に、２以上の引出２が順次に或いは同時に引き出されることを禁止するセーフティロック機構ＳＬを構成している。図２においては最上段の引出２のみが想像線で示してあるが、それ以外の引出２も基本構成は同様である。
【００２０】
すなわち、引出２は、引出本体２１の前面側に鏡板２２を設けたもので、引出本体２１を構成する側板２１ａには、図２及び図５に示すようにセーフティロック機構ＳＬを作動させるための突子２３ａが引出２の一部として設けられている。この実施形態の突子２３ａは樹脂部材２３の一部に形成され、樹脂部材２３は引出本体２１の側板２１ａに嵌め込まれた状態で取り付けられている。
【００２１】
一方、セーフティロック機構ＳＬを構成する筐体１側の構成要素は、図２〜図４に示すように、筐体１の側板１１の内面に同一軸心ｍ上に積み重ねるように配置した複数の軸部材３、４、５を主体としている。具体的には、筐体１の側板１１に設けた凹所１１ａに概略チャネル状の取付具１２を介して上下のエンド部材６１、６２を固定配置し、そのエンド部材６１、６２間に本発明のガイド部材としての役割を担う角柱状の軸心部材６３を配置して、この軸心部材６３に、姿勢変更用の軸部材３、変位惹起用の軸部材４、及び、変位伝達用の軸部材５を外嵌している。各軸部材３、４、５は、本実施形態の場合樹脂素材からなっている。
【００２２】
姿勢変更用の軸部材３は、各引出２の対応位置において軸心部材６３に対して回転可能かつ軸心ｍ方向にスライド可能に配置された、少なくとも本体部３１が円柱体状をなすもので、その上下両端面に図４、図７等に拡大図示するように円周方向に沿って波状に変化する凹凸の斜面（テーパ面）３２を形成している。この軸部材３は中空状のものであり、斜面３２は中空部分以外、軸心ｍから延びる線の集まりである。
【００２３】
そして、この姿勢変更用の軸部材３の一部を利用して、前記軸心部材６３の軸心ｍ回りに一体的に回転するようにカム７を構成している。このカム７は、図４及び図５に示すように、軸部材３の周壁に軸心ｍに垂直な方向に向けて内奥の閉じた切欠状の開口部７１を有し、この開口部７１に引出２の一部である前記突子２３ａを出し入れ動作時に係り合わせるようにしたもので、軸部材３の通常位置（引出２の押込時に対応）でこの開口部７１は図５及び図６（ａ）に示すように収納装置の前方から見て斜め後方を向いており、引出２を引き出す際に図６（ａ）→（ｂ）→（ｃ）→（ｄ）→（ｅ）のように引出２の突子２３ａでこのカム７を回転させて、軸部材３に通常位置から引出時対応位置までの水平回転動作を引き起こすようにしている。そして、引出２が通過した後の軸部材３の引出時対応位置で、カム７の開口部７１は斜め前方を向き、突子２３ａは開口部７１から離れることができる。引出２を押し込む際には、逆に図６（ｅ）→（ｄ）→（ｃ）→（ｂ）→（ａ）のように引出２の突子２３ａでカム７を逆回転させて、軸部材３に引出時対応位置から通常位置に復帰する水平回転動作を引き起こすことができる。カム７は、図４に示すようにその開口部７１の上方を頂部７２により閉止されており、突子２３ａが開口部７１から上方に抜け出ることを規制している。
【００２４】
変位惹起用の軸部材４は、図２〜図４に示すように、前記姿勢変更用の軸部材３に接するようにその上下隣接位置において軸心部材６３に対して回転可能かつ軸心ｍ方向にスライド不能に配置された、少なくとも姿勢変更用の軸部材３に面する本体部４１が円柱体状をなすもので、その本体部４１のうち姿勢変更用の軸部材３に隣接する端面に、図４、図７等に拡大図示するように円周方向に沿って波状に変化する凹凸の斜面（テーパ面）４２を形成している。この軸部材４も中空状のものであり、斜面４２はある回転位相において前記斜面３２に対し山と谷、谷と山が合致するものである。この姿勢変更用の軸部材４は、側端面に設けた係合突起４３が図３に示すチャネル状の取付具１２の一部に設けた前壁１２ａに係り合った状態で取り付けられ、回転を禁止されるとともに軸心ｍ方向にスライド動作を許容されている。姿勢変更用の軸部材３の上下に位置する変位惹起用の軸部材４同士は、互いに上下対称なものである。
【００２５】
そして、これら両軸部材３、４に形成された凹凸の斜面３２、４２同士は、姿勢変更用の軸部材３が図６（ａ）の通常位置にあるとき図７（ａ）に示すように凹凸で嵌り合う関係、すなわち、山と谷同士が相互に隙間なく密接に係り合う関係にあり、姿勢変更用の軸部材３が図６（ｅ）に示す引出時対応位置にまで姿勢変更すると、図７（ｂ）に示すように山と山が突き合い、谷と谷の間に隙間が生じる関係となるように設定されている。この実施形態の場合、図７（ｂ）に示す凸同士が突き合う位置において、一方の凸の先端に他方の凸の先端を受け入れる微小な凹所３ａ（図４、図７（ｂ）参照）が設けてある。
【００２６】
変位伝達用の軸部材５は、図２及び図３に示すように、下の段の引出２に関連する変位惹起用の軸部材４と上の段の引出２に関連する変位惹起用の軸部材４との間に接するように介在した状態で、軸心部材６３に対して少なくとも軸方向にスライド可能に配置された細長いパイプ状のもので、下の段の変位惹起用の軸部材４に生じる上下方向の変位を上の段に位置する変位惹起用の軸部材４に伝達して上下変位を連動させる役割をなしている。なお、最上方に位置する変位伝達用の軸部材５の上端には、拡開した変位伝達用の軸部材５´が設けてある。この軸部材５´は、姿勢変更用の軸部材３の上側に位置する変位惹起用の軸部材４の構造を利用しており、基本的に同じものである。
【００２７】
すなわち、例えば最上段の引出２が引き出される際に、その引出２に対応する軸部材３が図６（ａ）→（ｅ）に示すように水平回転動作をするに伴って、斜面３２，４２の凸同士が突き合うまで当該軸部材３が図８（ａ）→（ｂ）のように姿勢変更すると、姿勢変更用の軸部材３に隣接する１つの変位惹起用の軸部材４が山と谷のピッチ相当分だけ軸方向に相対変位し、姿勢変更用の軸部材３の上下に隣接する変位惹起用の軸部材４との間でその２倍の相対変位が現われるので、姿勢変更用の軸部材３を含みその上方に位置する軸部材４、５、５´が軸心ｍ方向にスライドして、これにより軸部材全体（最下段の変位惹起用の軸部材４から最上段の軸部材５´まで）の軸方向寸法Ｌを実質的にΔＬだけ増大させることになる。引出２を押し込むと、対応する軸部材３は図８（ｂ）→（ａ）で示すように姿勢変更状態が解消されて、軸部材全体の軸方向寸法Ｌの増大量ΔＬが消失することとなる。図８（ｃ）は真ん中の引出２を引き出した際の作動状態を示し、図８（ｄ）は最下段の引出２を引き出した状態を示し、それぞれ対応する軸部材３を含みその上方に位置する軸部材４、５、４、３…が軸心ｍ方向にスライドして、これにより軸部材全体の軸方向寸法Ｌの実質的な増大量ΔＬが得られることになる。
【００２８】
そして、この実施形態では、図２、図３及び図８に示すように、上下のエンド部材６１、６２を軸部材全体の軸方向寸法Ｌの増大を規制する規制手段６として機能させて、１つの引出２の引き出し動作に伴って生じる軸方向の増大量ΔＬにその増大可能範囲をほぼ規制している。すなわち、引出２が押し込まれている状態では、軸部材３、４、５、５´は自重により下エンド部材６２の上に順次積み重なった状態にあり、最上段の軸部材５´と上エンド部材６１との間には、１つの引出２を引き出した際に生じる軸部材全体の実質的な増大量ΔＬに対応する空隙Ｓ（図１０参照）が形成してある。そして、何れかの引出２が引き出されると、その引出２に対応する姿勢変更用の軸部材３が図８（ｂ）〜（ｄ）のように姿勢変更して実質的な軸部材全体の軸方向寸法Ｌを増大させる結果、何れの場合にも前記空隙Ｓが埋められるように構成しており、その状態で次の引出２を引き出そうとしても、空隙Ｓがないためにそれ以上に軸部材全体の軸方向寸法Ｌが増大できず、カム７の開口部７１に突子２３ａが進入しても他の姿勢変更用の軸部材３の回転すなわちカム７の回転が規制されて、図６（ａ）→（ｅ）に向かう引出２の引き出し操作が禁止されることになる。すなわち、前記空隙Ｓの大きさが軸部材全体の軸方向寸法Ｌの増大を規制する規制値を与えるものとなっている。
【００２９】
また、図９に示すように、２以上の引出２を同時に引き出そうとした場合、対応する軸部材３、３が同時に姿勢変更しようとしても、それらにより生じる軸方向寸法Ｌの増大量ΔＬの総和が全体として前記空隙Ｓに対応した規制値を超えた時点でそれ以上の軸部材３、３の姿勢変更が規制されるため、軸部材３、３は精々図６（ｂ）と（ｃ）の中間位置あたりまでしか回転できず、引出２、２の同時引き出しも有効に禁止されることになる。
【００３０】
この規制手段６を構成する下エンド部材６２には、図１０に示すように、軸部材全体の軸方向寸法Ｌの増大に対する規制位置すなわち規制値を調節するための調節部８が設けてある。この調節部８は、下エンド部材６２に昇降可能にねじ部材８１を螺合させたもので、このねじ部材８１で最下段に位置する変位惹起用の軸部材４を支持しており、その支持位置を変化させることによって、上方に存在する空隙Ｓの寸法を調整できるようになっている。すなわち、軸部材全体の軸方向寸法Ｌの増大を規制する規制は、厳密には下エンド部材６１に付帯するねじ部材８１の上端と上エンド部材６２の下面との間において行われるものとなっている。
【００３１】
さらに、本実施形態は、上記セーフティロック機構ＳＬを利用して全ての引出２にオールロックを掛けるべく、図２、図３及び図１１に示すロック部材９１を設けている。このロック部材９１は、前記空隙Ｓに臨む位置に進退可能に配されたもので、一端部９１ａが筐体１の側板１１に支軸９２ａ回りに取り付けたアーム９２に係り合っており、このアーム９２は、図１に示す筐体１の頂板１２内に組み込んだ軸９３を介して、頂板１２の巾方向中央付近に配置した駆動体９４に接続してある。この駆動体９４は、最上段の引出２に設けた施錠部であるシリンダ錠２４が操作された際に、図３に示すデッドボルト２４ａが先端９４ａに係ってこれを押し上げ、駆動体９４が軸９３とともに回転する結果、これによりアーム９２が回転してロック部材９１を進退動作させるようにしている。ロック部材９１は、進退中心から偏心した位置に図１１に示すような壁部９１ｂを有していて、図１１（ａ）、（ｂ）に示す退避位置では壁部９１ｂは前記隙間Ｓを侵さず、変位伝達部材５´の上端５ａ´はその隙間Ｓに進入することができるが、シリンダ錠２４が操作されてロック部材９１が図１１（ｃ）の施錠位置に移動すると、壁部９１ｂが隙間Ｓの少なくとも一部を埋める位置に進入して、変位伝達部材５´の上端５ａ´の進入をブロックし、変位伝達部材５´の上昇を禁止するようになっている。この場合も上記と同様、カム７の開口部７１に突子２３ａが進入しても他の姿勢変更用の軸部材３の回転すなわちカム７の回転が規制されるため、図６（ａ）→（ｅ）に向かう引出２の引き出し操作が禁止されることになる。ロック部材９１は、取付具１２に配置した軸受部材９０によって進退可能に支持されている。９１ｘはロック部材９１を非ロック方向にオフセットするバネであり、５ｘ´は軸部材３、４、５、５´をオールロック解除方向にオフセットするバネである。
【００３２】
以上のように、この収納装置は、引出２の一部に突子２３ａを設ける一方、筐体１の内面における前記突子２３ａの移動軌跡上にカム７を設け、このカム７は一部に設けた開口部７１が引出２の動作方向に対して予め関連づけられた位置関係にあるときには突子２３ａを受容して引出２の出し入れ動作に伴い姿勢変更可能であるが、引出２のセーフティロック時には、他の引出２は図１２に示すように開口部７１が引出２の動作方向に対して予め関連づけられた位置関係を外れるため、図１２（ａ）に示すように突子２３ａを受容せずに姿勢変更用の軸部材３の本体部３１と一体をなすカム本体７３が突子２３ａと干渉してカム７には姿勢変更動作が引き起こされないようにしている。
【００３３】
そして、引出２を筐体１から分離させた状態において、カム７は姿勢変更自在であるため、引出２を引き出した状態で図６（ｅ）に示すようにカム７の開口部７１が斜め後方を向いていれば引出２を押し込む際にカム７は開口部７１に突子２３ａを受容してカム７は姿勢変更することができるが、図１２（ｂ）に示すように開口部７１が斜め後方を向いている場合には、引出２を押し込もうとしても突子２３ａはカム本体７３に激しく干渉することになり、初期組立時やメンテナンス時の作業性が損なわれるばかりか、通常の単純なピン構造であれば破損や損傷を招き易い。
【００３４】
そこで、本実施形態は、前述した樹脂部材２３を、引出２の押込み時に突子２３ａがカム７と干渉した場合のみ、その干渉を回避しつつカム７を乗り越えて引出２を押し込める構造にしている。図１３及び図１４は、図５、図６に示した樹脂部材２３のより具体的な構造を示すものである。
【００３５】
この樹脂部材２３は、側板２１ａに着脱可能に装着される縦断面Ｌ字型をなす一対の側枠２３ｂと、基端から中間部に至る部位が側枠２３ｂ、２３ｂの一端部同士を接続する部位より立ち上がり中間部から先が片持ち的となって先端を側枠２３ｂに沿って前方に延出させた支持腕２３ｃと、この支持腕２３ｃの先端に外側に突出するように設けた前記突子２３ａとからなる樹脂一体成形体である。支持腕２３ｃは中間部から先が両側の側枠２３ｂとは成形時より縁が切れているため、成形後の時点で弾性変形可能とされている。そして、この支持腕２３ｃのうち、基端から先端に向かう一部（この実施形態では基端より）に、突子２３ａを前方斜め外側に持ち出すための傾斜部２３ｃ１を設けている。つまり、図１４の取付状態で側枠２３ｂの外面よりも支持腕２３ｃの外面の方が外側方（筐体の内面側）に突出した状態に設けてあり、突子２３ａを含めてその突出部分の上下寸法ｄ１を側枠２３ｂの外法間の上下寸法ｄ２よりも狭い範囲に制限している。また、前記支持腕２３ｃとは異なる位置において側枠２３ｂ、２３ｂ間を連結する部位に基端を支持させて、裏面側に一部突出する弾性凸部２３ｅを設けている。
【００３６】
一方、引出２の側板２１ａには、側枠２３ｂのベース部分を差し込むことによってこれを抱え込むように支持する一対のレール２１ｔと、樹脂部材２３の後端面に突き当たって差込方向の終端位置を規制する規制部２１ｕとが切り起こしてあり、また、前記終端位置で弾性凸部２３ｅを弾性により落とし込むための肉厚方向の貫通孔２１ｖが穿設してある。
【００３７】
そして、レール２１ｔに沿って樹脂部材２３をスライドさせることにより、この樹脂部材２３を図１５に示すように引出２の側板２１ａの所定位置に装着し、この位置において図６に示すような突子２３ａとカム７の正常時の相対関係が得られるようにしている。
【００３８】
このような構造において、図１６（ａ）に示すように、カム７の開口部７１が斜め後方を向いている状態から引出２を前方より押し込もうとした際に、突子２３ａがカム本体７３と干渉すると、同図（ｂ）に示すように突子２３ａがカム本体７３により没入方向に押圧されて支持腕２３ｃが撓むことになるので、ある力以上で突子２３ａは弾性によりカム７を通過することが可能な干渉回避位置まで変形し、通過後に同図（ｃ）に示すように元の状態に復元することになる。
【００３９】
一方、図１７（ａ）に示すように、カム７の開口部７１が斜め前方を向いている状態から引出２を引き出そうとして、突子２３ａがカム本体７３と干渉しても、突子２３ａには没入方向への押圧力が働かず、支持腕２３ｃがカム７から逃げる方向に撓まないため、突子２３ａとカム７の干渉状態は適正に維持されることとなる。その理由は、支持腕２３ｃの先端の突子２３ａに外力が働く場合、基端に対して引っ張り力となるときには突子２３ａを摺動させて反り易いが、圧縮力となるときには反りは生じ難い点に加えて、突子２３ａが傾斜部２３ｃ１を介して基端に対して持ち出されており、前者の場合は突子２３ａが逃げる方向のモーメントが働くが、後者の場合は突子２３ａがむしろ近づく方向のモーメントとして作用するためである。
【００４０】
したがって、引出２の適切なロック機能を担保した上で、空の筐体１に対して、或いは、いまだ引出２が装着されていない筐体１の空の収納領域に対して、引出２を無造作に押し込んでも、カム７の姿勢によらず、図６（ｅ）→（ａ）または図１６（ａ）→（ｃ）の何れかの態様で突子２３ａをカム７を通過させて引出２を所定の位置に押し込むことができる。このため、衝撃回避作用と良好な作業性とを有効に両立させることが可能となる。
【００４１】
特に、この実施形態の収納装置２は、引出２を筐体１から分離させた状態において、１つのカム７のみは開口部７１を斜め前方に向けて姿勢変更することができるものの、基本的には開口部７１を斜め後方に向けた姿勢が基準姿勢となるため、押し込もうとする引出２の突子２３ａがカム本体７３と干渉する可能性は極めて高い。このような場合に、その都度カム７の向きを確認し、必要であればカム７を水平回転させた上で引出２を押し込むといった手順を踏まずとも引出２を押し込むことができ、また例えそのような手順を踏むこととしている場合にも、不注意によりそのまま引出２を押し込んだ際の衝撃による損傷や破損から突子２３ａやカム７を有効に保護することができる。
【００４２】
とりわけ、この実施形態のカム７は、軸心ｍ回りに水平回転可能であり、その開口部７１は、引出２の押込み位置で後方斜め内側に開口し、引き出し位置で前方斜め内側に開口するように水平回転動作を通じて姿勢変更可能とされていて、筐体１の内面からのカム７の突出量したがって突子２３ａとの干渉がより大きくなる傾向にある。このため、上述した不慮の衝撃は特に大きく、本発明を適用することによる効果は極めて顕著なものとなる。
【００４３】
具体的な突子２３ａの支持の態様としては、基端を引出２に片持ち的に支持された支持腕２３ｃの先端に当該突子２３ａを形成し、基端と先端の間に突子２３ａを介して図１６に示すように引っ張り力が働いた際には突子２３ａがカム７との干渉を回避する位置まで支持腕２３ｃが変形可能であるのに対して、基端と先端の間に突子２３ａを介して図１７に示すように圧縮力が働いた際には前記干渉回避位置までの変形が引き起こされない構造のものである。このような支持腕２３ｃと突子２３ａを組み合わせることで、引出２の作動方向に応じて突子２３ａに異なる作用を的確に営ませることができる。
【００４４】
より具体的な作用としては、基端から先端に向かう支持腕２３ｃの一部に、突子２３ａを前方斜め外側に持ち出すための傾斜部２３ｃ１を設けており、この傾斜部２３ｃ１によって前述したように突子２３ａがカム本体７３に突き当たった際のモーメントが逆に作用するようにしている。すなわち、図１６に示すように引出２を押し込む方向から突子２３ａがカム本体７３に衝突した際には、突子２３ａを介して支持腕２３ｃに没入方向へのモーメントが作用し、図１７に示すように引出２を引き出す方向から突子２３ａがカム本体に衝突した際には、突子２３ａを介して支持腕２３ｃにむしろ突出方向へのモーメントが作用することとなるので、簡素な構造により、引出２の作動方向に応じて異なる作用を営む突子２３ａを簡単かつ有効に実現することができる。
【００４５】
樹脂部材２３に関しては、支持腕２３ｃ及び突子２３ａが一対の側枠２３ｂとともに樹脂一体成形されたものであり、側枠２３ｂは引出２の側板２１に着脱可能に装着され、支持腕２３ｃは基端が一対の側枠２３ｂ、２３ｂ間を連結する部位に支持されて先端を側枠２３ｂに沿って前方に延出させ、その支持腕２３ｃは成形のみによって変形可能な状態とされているため、板金等により構成される引出２の側板２１ａに対して、樹脂部材２３を成形して取り付けるだけで突子２３ａの所期の作用を簡単に得ることができる。
この場合、突子２３ａを含めて支持腕２３ｃの突出部分の上下寸法ｄ１を側枠２３ｂの外法間の上下寸法ｄ２よりも狭い範囲に制限しているため、周囲との干渉を極力避けた設計が可能となっている。すなわち、この種の収納装置には通常、引出２側に設けられるラッチを収納位置で係留するために筐体１の内面にラッチ受けが設けられ、また、引出２の引き出し端を規制するレールストッパが引出２側に設けられており、これらは似たような高さ位置にある。このため、樹脂部材２３がそのままの嵩張りで移動すると移動軌跡上でラッチ受けと干渉したり、或いはレールストッパが移動軌跡上でカム本体などと干渉し易い。これに対して、上記のように引出２側から実質的に突出する部分ｄ１を樹脂部材の上下寸法ｄ２に比して小さい値に制限すれば、樹脂部材２３とラッチ受けとの干渉を回避し易くなり、また、対応するカム７の上下寸法も小さくできることでレールストッパとカム本体７３との干渉も回避し易くなる効果が得られる。
【００４６】
特に、引出２の側板２１に、側枠２３ｂを差し込む一対のレール２１ｔと、差込方向の終端位置を規制する規制部２１ｕと、肉厚方向の貫通孔２１ｖとを設け、樹脂部材２３には更に前記支持腕２３ｃとは異なる位置において側枠２３ｂ，２３ｂ間を連結する部位に基端を支持させた弾性凸部２３ｅを設け、差込終端位置で弾性凸部２３ｅを貫通孔２１ｖに落とし込んだ状態で樹脂部材２３を引出２の側板２１に取り付けるようにしているので、レール２１ｔに沿ってスライドさせるだけで樹脂部材２３を引出２に簡単に装着することができ、装着状態で樹脂部材２３は一対のレール２１ｔ、規制部２１ｕ及び貫通孔２１ｖによって支持されて樹脂部材２３自体に高い強度を付与せずとも支持腕２３ｃ以外の部位の変形を的確に抑止してカム７との干渉にも適切な役割を果たすことができる。また、取り外す際には、前記貫通孔２１ｖを介して裏面から弾性凸部２３ｅを押圧することで弾性凸部２３ｂ１と貫通孔２１ｖとの係合を簡単に解除することができ、指で突子２３ａを摘む等して反差込方向にスライドさせれば樹脂部材２３を引出２から離脱することができるので、組立分解、メンテナンス、分別廃棄の便を有効に向上させることが可能となる。
【００４７】
本実施形態は、以上のような構成であるから、複数の引出２を有し、全ての引出２が押し込まれた状態から、一つの引出２に対応するカム７が引出２の引き出し動作に伴って姿勢変更している間は、他の引出２に対応するカム７の姿勢変更が禁止されるように構成して、引出２のセーフティロック状態を実現している図示のような収納装置において極めて有用な効果を奏することとなる。
【００４８】
なお、各部の具体的な構成は、上述した実施形態のみに限定されるものではなく、本発明の趣旨を逸脱しない範囲で種々変形が可能である。
【図面の簡単な説明】
【００４９】
【図１】本発明の一実施形態に係るセーフティロック機構を適用した収納装置の斜視図。
【図２】同収納装置を構成する筐体の側板内面ならびにその周辺構成を示す一部省略した部分拡大斜視図。
【図３】図２の分解斜視図。
【図４】図３の部分拡大図。
【図５】同実施形態における引出の突子とカムの関係を示す模式的な平面図。
【図６】図５に対応した作動説明図。
【図７】同実施形態において軸部材の回転から軸方向変位が生じる過程を説明するための図。
【図８】同実施形態において引出の引出状態と軸部材の軸方向寸法の変化の関係を説明するための図。
【図９】同実施形態において引出の他の引出状態と軸部材の軸方向寸法の変化の関係を説明するための図。
【図１０】同実施形態における調節部の構成を示す図。
【図１１】同実施形態におけるロック部材の構成を示す図。
【図１２】同実施形態の解決課題を示す図。
【図１３】同実施形態における樹脂部材の構成を示す図。
【図１４】同実施形態における樹脂部材と引出との関係を示す斜視図。
【図１５】引出への樹脂部材の取付状態を示す斜視図。
【図１６】同実施形態における突子とカムの関係を示す図。
【図１７】同実施形態における突子とカムの関係を示す図。
【符号の説明】
【００５０】
１…筐体
２…引出
７…カム
２１ａ…側板
２１ｔ…レール
２１ｕ…規制部
２１ｖ…貫通孔
２３…樹脂部材
２３ａ…突子
２３ｂ…側枠
２３ｂ１…弾性凸部
２３ｃ…支持腕
２３ｃ１…傾斜部
７１…開口部
７３…カム本体
ｍ…軸心
【図１】
0005339265.tif 000002
【図２】
0005339265.tif 000003
【図３】
0005339265.tif 000004
【図４】
0005339265.tif 000005
【図５】
0005339265.tif 000006
【図６】
0005339265.tif 000007
【図７】
0005339265.tif 000008
【図８】
0005339265.tif 000009
【図９】
0005339265.tif 000010
【図１０】
0005339265.tif 000011
【図１１】
0005339265.tif 000012
【図１２】
0005339265.tif 000013
【図１３】
0005339265.tif 000014
【図１４】
0005339265.tif 000015
【図１５】
0005339265.tif 000016
【図１６】
0005339265.tif 000017
【図１７】
0005339265.tif 000018